(57)【要約】      （修正有）【課題】簡単な構成で、チェーンロック、施錠、タイヤチェーン、あるいは吊り具などの楊荷など、さらには船の投錨用などに使用で、さらに装飾効果がありネックレスなどの装飾品に用いることが可能なチェーンの提供。【解決手段】環を鎖状に連結して構成したチェーン１であり、環２は、短手方向部２ａと長手方向部２ｂとを有し、環２の短手方向部２ａ同士を鎖状に連結して基本チェーンとし、一対の基本チェーンの環２の環面が２直角より小さい角θになくように長手方向部２ｂ同士を、連結して組み環とした。また、一対の環２の環面が２直角より小さい角θになくように長手方向部２ｂ同士を、連結して組み環とし、組み環の環２の短手方向部２ａ同士を鎖状に連結した。【選択図】図１
2012062960.tif 000002
【特許請求の範囲】
【請求項１】
環を鎖状に連結して構成したチェーンであり、
前記環は、短手方向部と長手方向部とを有し、
前記環の短手方向部同士を鎖状に連結して基本チェーンとし、
前記一対の基本チェーンの環の環面が２直角より小さい角になくように前記長手方向部同士を、連結して組み環としたことを特徴とするチェーン。
【請求項２】
環を鎖状に連結して構成したチェーンであり、
前記環は、短手方向部と長手方向部とを有し、
前記一対の環の環面が２直角より小さい角になくように前記長手方向部同士を、連結して組み環とし、
前記組み環の環の短手方向部同士を鎖状に連結したことを特徴とするチェーン。
【請求項３】
前記組み環を、連続して配置したことを特徴とする請求項１に記載のチェーン。
【請求項４】
前記組み環を、間歇的に配置し、
前記組み環と前記組み環との間の前記一対の環の長手方向部は、溶接しない構成であることを特徴とする請求項１に記載のチェーン。
【請求項５】
前記環は、金属の丸棒を屈曲して構成したことを特徴とする請求項１乃至請求項４のいずれか１項に記載のチェーン。
【請求項６】
前記環は、金属の平板を打ち抜きにより構成したことを特徴とする請求項１乃至請求項４のいずれか１項に記載のチェーン。
【発明の詳細な説明】
【技術分野】
【０００１】
この発明は、  環を鎖状に連結して構成したチェーンに関する。
【背景技術】
【０００２】
従来からチェーンは、チェーンロック、施錠、タイヤチェーン、あるいは吊り具などの楊荷などに使われ、小さなものは、ネックレスなどの装飾品のものがあり、逆に大きい例としては船の投錨用などがある。
【０００３】
例えば、チェーンロックは、物理的な盗難装置として用いられ、盗難装置としてはチェーンロック、ワイヤーロックとロボットアーム（鉄の延べ棒を交互に繋いだ形状のロック）が主流である。チェーンロックやワイヤーロックはクリッパー（ボルトなどの切断工具）を使って切断されて盗難に遭う場合が多かった。一方、ロボットアームはクリッパーによって切断されることが困難であるため、太いロボットアームが盗難に有効であった。
【０００４】
しかし、ここ数年で犯行手口が大胆になり、サンダーで大きな音をたて、火花を散らして切断されることがあり、サンダーを使用するとクリッパーでは切るのが困難だったロボットアームさえも時間をかければ容易に切断される。
【０００５】
このように、物理的な盗難装置として、チェーンロック、ワイヤーロック、ロボットアームが用いられているが、窃盗者がクリッパーやサンダーを事前に用意して来てそれを用いれば、一般の鋼鉄製のチェーンやロボットアームは比較的容易に切断されてしまい盗難防止の役に立たない。
【０００６】
これを避けるために、チェーンの環を構成する丸棒の径を太くすると共に、その素材をできるだけ高強度、高硬度のもの、例えば焼き入れ鋼やステンレス鋼にすることが考えられるが、多少切断への抵抗力は増すにせよ、直径数ミリから十数ミリの丸棒である以上クリッパーやサンダーでの切断は免れない。
【０００７】
このため、チェーンを覆うホースの中にそのチェーンに沿って１本又は複数本の繊維を配置し、かつ、そのチェーンがホースで覆われた部分で切断された際に、切断により分かれたチェーンの両部分を結びつけるようにその繊維を結合し、クリッパー等の工具では容易に切断できない抵抗力の高いものがある（引用文献１）。
【０００８】
また、チェーンを構成する環の長手方向中央部を、その環を構成する丸棒の直径に比べて板厚の薄い板で覆い、その板の両端部を環を構成する丸棒に溶接し、クリッパーやサンダー等の工具で容易に切断されないようにしたものがある（引用文献２）。
【先行技術文献】
【特許文献】
【０００９】
【特許文献１】特開２００３−２７８０２
【特許文献２】特開２００３−２３７５３６
【発明の概要】
【発明が解決しようとする課題】
【００１０】
ところで、特許文献１のチェーンでは、チェーンを覆うホースの製造にコストがかかり、特許文献２のチェーンでも金属の板を所定長さに切断し、環を構成する丸棒に溶接するため、製造コストがかかるなどの問題があった。
【００１１】
また、従来のチェーンは、環を鎖状に連結した構成であり、施錠や、タイヤチェーン、あるいは吊り具などの楊荷などに使われ場合、さらには船の投錨用などでは、強度が不足し、またネックレスなどの装飾品に用いられる場合には、形状が単純で装飾効果が出なかった。
【００１２】
この発明は、かかる実情に鑑みなされたもので、簡単な構成で、チェーンロック、施錠、タイヤチェーン、あるいは吊り具などの楊荷など、さらには船の投錨用などに使用で、さらに装飾効果がありネックレスなどの装飾品に用いることが可能なチェーンを提供することを目的としている。
【課題を解決するための手段】
【００１３】
請求項１に記載の発明は、環を鎖状に連結して構成したチェーンであり、
前記環は、短手方向部と長手方向部とを有し、
前記環の短手方向部同士を鎖状に連結して基本チェーンとし、
前記一対の基本チェーンの環の環面が２直角より小さい角になくように前記長手方向部同士を、連結して組み環としたことを特徴とするチェーンである。
【００１４】
請求項２に記載の発明は、環を鎖状に連結して構成したチェーンであり、
前記環は、短手方向部と長手方向部とを有し、
前記一対の環の環面が２直角より小さい角になくように前記長手方向部同士を、連結して組み環とし、
前記組み環の環の短手方向部同士を鎖状に連結したことを特徴とするチェーンである。
【００１５】
請求項３に記載の発明は、前記組み環を、連続して配置したことを特徴とする請求項１に記載のチェーンである。
【００１６】
請求項４に記載の発明は、前記組み環を、間歇的に配置し、
前記組み環と前記組み環との間の前記一対の環の長手方向部は、溶接しない構成であることを特徴とする請求項１に記載のチェーンである。
【００１７】
請求項５に記載の発明は、前記環は、金属の丸棒を屈曲して構成したことを特徴とする請求項１乃至請求項４のいずれか１項に記載のチェーンである。
【００１８】
請求項６に記載の発明は、前記環は、金属の平板を打ち抜きにより構成したことを特徴とする請求項１乃至請求項４のいずれか１項に記載のチェーンである。
【発明の効果】
【００１９】
この発明のチェーンは、チェーンロックとして用いることができ、このチェーンロックとして用いた場合には、一対の環の環面が２直角より小さい角になくように長手方向部同士を、連結して組み環としており、この組み環により強度があり、しかも関節がなく動きがスムーズでロボットアームより軽量である。また、チェーンロックを切断して窃盗しようとする者が用意してくるものは、クリッパーやそれに類似する剪断力で押し切るタイプの工具か、あるいは、サンダーやそれに類似する研削タイプの工具であるが、一対の環の環面が２直角より小さい角になくように長手方向部同士を、連結して組み環とする複雑な形状であり、クリッパーなどの切断するための工具の挿入できる隙間が少なく、切断作業もうまく進まないので時間をとることになるから、窃盗者はあきらめることとなる。
【００２０】
また、チェーンはクネクネ動き、固定しにくいためサンダーでの切断が困難であり、しかも一対の環の環面が２直角より小さい角になくように長手方向部同士を、連結して組み環としているため、複数箇所切断しないと分離できない上、組み環の連結した部分は太さが２倍になるので切断には２倍以上の労力がかかり、窃盗者はあきらめることとなる。
【００２１】
また、この発明のチェーンは、一対の環の環面が２直角より小さい角になくように長手方向部同士を、連結して組み環としているため、組み環によって強度が向上して施錠や、タイヤチェーン、あるいは吊り具などの楊荷など、さらには船の投錨用などに使用で、さらに装飾効果がありネックレスなどの装飾品に用いることが可能である。
【図面の簡単な説明】
【００２２】
【図１】第１の実施の形態のチェーンの斜視図である。
【図２】チェーンの正面図である。
【図３】チェーンの平面図である。
【図４】チェーンの側面図である。
【図５】チェーンの断面図である。
【図６】チェーンの製造を説明する図である。
【図７】第２の実施の形態のチェーンの製造を説明する図である。
【図８】第３の実施の形態の正面図である。
【図９】チェーンの平面図である。
【発明を実施するための形態】
【００２３】
以下、この発明のチェーンの実施の形態について説明する。この発明の実施の形態は、発明の最も好ましい形態を示すものであり、この発明はこれに限定されない。
【００２４】
［チェーンの構成］
（第１の実施の形態）
第１の実施の形態のチェーンは、図１乃至図６に示すように構成され、図１はチェーンの斜視図、図２はチェーンの正面図、図３はチェーンの平面図、図４はチェーンの側面図、図５はチェーンの断面図、図６はチェーンの製造を説明する図である。
【００２５】
この実施の形態のチェーン１は、環２を鎖状に連続して連結して構成であり、環２は、短手方向部２ａと長手方向部２ｂとを有する。環２は、所定長さの金属の丸棒を環状に屈曲し、両端部を長手方向部２ｂにおいて溶接して一体にしたものである。環２の大きさや丸棒の径はチェーン１の用途に応じて自由に選定され、短手方向部２ａと長手方向部２ｂの長さの割合も自由に選定される。
【００２６】
この環２は、図６（ａ）に示すように、短手方向部２ａ同士を鎖状に連結し、所定長さの基本チェーンＡを製造し、このようにして同様な構成な別の所定長さの基本チェーンＡを製造する。
【００２７】
この一対の基本チェーンＡを、図６（ｂ）に示すように並列にし、この鎖状に連結した一対の基本チェーンＡとの環２の環面Ｌが２直角より小さい角θになくように長手方向部２ｂ同士を、溶接３により連結して組み環Ｂとする。環２の環面Ｌは、２直角より小さい角θになくようであればよく、鈍角、鋭角でもよく、角度は特に限定されないが、直角が、例えばチェーンロックに用いた場合などに、容易に切断することができないことや曲がり易いことなどの点で好ましい。
【００２８】
この実施の形態では、環２は、金属の丸棒を屈曲して構成したが、金属の平板を打ち抜きにより同様に両端部を溶接により連結した構成でもよい。
【００２９】
（第２の実施の形態）  
第２の実施の形態のチェーンは、第１の実施の形態と同様に図１乃至図５に示すように構成されるが、図７に示すように製造される。
【００３０】
この実施の形態のチェーン１は、環２を鎖状に連続して連結して構成したチェーンであり、環２は、短手方向部２ａと長手方向部２ｂとを有する。この環２は、所定長さの金属の丸棒を環状に屈曲し、両端部を長手方向部２ｂにおいて溶接して一体にしたものである。
【００３１】
この環２は、図７（ａ），（ｂ）に示すように、一対の環２の環面Ｌが２直角より小さい角θになくように長手方向部２ｂ同士を、溶接３により連結して組み環Ｂを製造する。この組み環Ｂは、図７（ｃ）に示すように、環２の短手方向部２ａ同士を鎖状に連結する。
【００３２】
（第３の実施の形態）    
第３の実施の形態のチェーンは、図８及び図９に示すように構成され、第１の実施の形態と同じ構成は同じ符号を付して説明を省略する。第１の実施の形態及び第２の実施の形態では、組み環Ｂを、連続して配置しているが、この第３の実施の形態では、組み環Ｂを、間歇的に配置し、組み環Ｂと組み環Ｂとの間の一対の環２の長手方向部２ｂは、溶接しない構成であり、この構成により組み環Ｂと組み環Ｂとの間の一対の環２の動きが自由となり、チェーンの曲がりが円滑である。
【００３３】
［チェーンの適用］
第１の実施の形態のチェーン１乃至第３の実施の形態のチェーン１は、チェーンロック、施錠、タイヤチェーン、吊り具、船の投錨用チェーン、ネックレスなどの装飾品に適用できる。
【００３４】
チェーンロックとして用いる場合には、一対の環２の環面Ｌが２直角より小さい角θになくように長手方向部２ｂ同士を、連結して組み環Ｂとしており、この組み環Ｂの環２は丸棒、及び、平板の素材としては特に制限はないが、できるだけ高強度で高硬度のもの、例えば焼き入れ鋼やステンレス鋼が望ましい。溶接３は、アーク溶接、ガス溶接、シーム溶接等  窃盗者の腕力に耐える強度さえあればその種類は問わない。
【００３５】
この組み環Ｂは、強度があり、しかも組み環Ｂを鎖状に連結していることから関節がなく動きがスムーズでロボットアームより軽量である。また、チェーンロックを切断して窃盗しようとする者が用意してくるものは、クリッパーやそれに類似する剪断力で押し切るタイプの工具か、あるいは、サンダーやそれに類似する研削タイプの工具であるが、組み環Ｂは、一対の環２の環面Ｌが２直角より小さい角θになくように長手方向部２ｂ同士を、連結した複雑な形状であり、クリッパーなどの切断するための工具の挿入できる隙間が少なく、切断作業もうまく進まないので時間をとることになるから、窃盗者はあきらめることとなる。
【００３６】
また、チェーンロックはクネクネ動き、固定しにくいためサンダーでの切断が困難であり、しかも一対の環２の環面Ｌが２直角より小さい角θになくように長手方向部２ｂ同士を、連結して組み環Ｂとしているため、複数箇所切断しないと分離できない上、組み環Ｂの連結した部分は太さが２倍になるので切断には２倍以上の労力がかかり、窃盗者はあきらめることとなる。
【００３７】
施錠として用いる場合は、一対の環２の環面Ｌが２直角より小さい角θになくように長手方向部２ｂ同士を、連結して組み環Ｂとしているため、この組み環Ｂによる簡単な構造で強度を向上することができる。  
【００３８】
タイヤチェーンとして用いる場合は、一対の環２の環面Ｌが２直角より小さい角θになくように長手方向部２ｂ同士を、連結して組み環Ｂとしているため、この組み環Ｂによる簡単な構造で強度を向上することができ、しかも組み環Ｂの連結によって凹凸を有する複雑な構造になり、積雪や凍結した路面との抵抗が増大する。
【００３９】
楊荷などの吊り具などや船の投錨用などに用いる場合は、一対の環２の環面Ｌが２直角より小さい角θになくように長手方向部２ｂ同士を、連結して組み環Ｂとしているため、この組み環Ｂによる簡単な構造で強度を向上することができる。
【００４０】
ネックレスなどの装飾品に用いる場合は、一対の環２の環面Ｌが２直角より小さい角θになくように長手方向部２ｂ同士を、連結して組み環Ｂとしているため、この組み環Ｂによる形状による装飾効果がある。
【産業上の利用可能性】
【００４１】
この発明は、チェーンロック、施錠や、タイヤチェーン、あるいは吊り具などの楊荷などに使われ、小さなものは、ネックレスなどの装飾品のものがあり、逆に大きい例としては船の投錨用などに適用可能である。  
【符号の説明】
【００４２】
１  チェーン
２  環
２ａ  短手方向部
２ｂ  長手方向部
Ａ  基本チェーン
Ｂ  組み環
【図１】
2012062960.tif 000003
【図２】
2012062960.tif 000004
【図３】
2012062960.tif 000005
【図４】
2012062960.tif 000006
【図５】
2012062960.tif 000007
【図６】
2012062960.tif 000008
【図７】
2012062960.tif 000009
【図８】
2012062960.tif 000010
【図９】
2012062960.tif 000011